(57)【特許請求の範囲】
【請求項１】
マスク本体と、着用者の両耳または頭部に掛けることによって前記マスク本体を装着者の顔面の所定の位置に保持する２本の紐と、を含み、
前記マスク本体の両側には、袋状とされ、前記マスク本体の中央部に向かって開口するとともに、前記マスク本体両側の折り返し部によって形成されている袋状部が少なくとも２箇所ずつ形成され、
前記紐の両端にはフック部材が固定され、このフック部材におけるフックを前記マスク本体の袋状部に挿入することによって前記紐が前記マスク本体に装着されるマスク。
【請求項２】
前記フック部材は、前記マスク本体の袋状部に挿入されるフック本体と、開閉部と、前記開閉部を前記フック本体に対して開閉可能に連結するヒンジ部と、を有し、前記開閉部は、紐の端部を前記開閉部と前記フック本体との間に挟んだ状態で前記開閉部を前記フック部材に対して閉じることにより、前記紐が前記開閉部とフック本体との間に挟持されるように形成されている請求項１に記載のマスク。
【請求項３】
前記フック部材の一端側には、前記マスク本体の袋状部に挿入されるフックが、他端側には前記紐が装着される紐装着部が形成され、前記紐装着部には紐を挿通するためのスリットが形成されているとともに、前記紐の両方の末端部には前記スリットの幅よりも大きな外径を有する係止部が形成され、前記紐は、前記末端部において前記スリットに挿通された状態で前記紐装着部に固定される請求項１に記載のマスク。
【請求項４】
前記フック部材は、前記マスク本体の袋状部に挿入されるフック本体と、前記フック本体に着脱可能に設けられた着脱部と、を有し、前記着脱部は、紐の端部を前記着脱部と前記フック本体との間に挟んだ状態で前記フック部材に前記着脱部を装着することにより、前記紐が前記着脱部と前記フック本体との間に挟持されるように形成されている請求項１に記載のマスク。
【請求項５】
前記フック部材は、前記マスク本体の袋状部に挿入されるフック本体を有し、前記フック本体は全体としてフック状に形成されているとともに、その内側の面には、前記マスク本体における前記袋状部から前記フック部材が脱落するのを防止するための歯状突起が設けられている請求項１〜４の何れか１項に記載のマスク。
【請求項６】
前記紐は長さが調節可能とされている請求項１〜５の何れか１項に記載のマスク。
【発明の詳細な説明】
【技術分野】
【０００１】
本発明は、マスクに関する。
【背景技術】
【０００２】
マスクは、着用者の口と鼻とを覆うマスク本体と、マスク本体の四隅部に固定され、着用者の両耳にかけることによってマスク本体を装着者の顔面の所定位置に保持する２本の紐と、を有する。
【０００３】
着用者は、マスク本体によって口と鼻とを覆い、紐の長さを、マスク本体を装着者の顔面の所定位置に保持するのに丁度よい長さに調整してマスクを着用する。
【０００４】
しかしながら、マスクを長時間使用すると、マスク本体部が口腔内の菌によって汚染されたり、作業環境により発生する飛散物によってマスクが汚染されたりするから、マスクを廃棄しなければならなくなる。しかしながら、紐がマスク本体に縫い付けられていると、マスク本体とともに紐も廃棄しなければならない。
【０００５】
そこで、マスク本体と紐とを着脱可能としたマスクが考案された。
【０００６】
このようなマスクとしては、たとえば、両端の上下四隅の所定箇所にボタンホールを空けたマスク本体と、両端にボタンを縫い付けた伸縮性を有する２本の耳掛け紐とを備え、１本の耳掛け紐のボタンを前記マスク本体の四隅の所定箇所のうち左右何れか一方の側のボタンホールに装着し、別の１本の耳掛け紐のボタンをマスク本体の他方の側のボタンホールに装着してマスク本体と耳掛け紐とを脱着可能な構成としたものがある（特許文献１）。
【０００７】
また、取り外し可能な使い捨て式マスクであって、ポリオレフィン含有素材の熱可塑性のフィルタ部を有する使い捨てマスク本体と、２本の紐と、を含み、各紐には夫々各紐の両端に位置する２つの連結部材を有し、前記連結部材は夫々前記マスク本体に取り外し可能に連結する取り外し可能な使い捨てマスクがある（特許文献２）。
【先行技術文献】
【特許文献】
【０００８】
【特許文献１】実用新案登録第３１２５１４７号公報
【特許文献２】特表２００９−５３１０８７号公報
【発明の概要】
【発明が解決しようとする課題】
【０００９】
しかしながら、マスク本体にボタンホールを設け、耳掛け紐の両端のボタンをこのボタンホールに装着する形態のマスクにおいては、マスク本体にボタンホールという開口部を設けるためにマスクのフィルタ性能が低下する可能性がある。
【００１０】
また、紐の両端に位置する連結部材を使い捨てマスク本体に取り外し可能に連結する使い捨て式マスクにおいても、前記連結部材は、使い捨てマスク本体の四隅部に設けられた孔に挿通されて使い捨てマスク本体に連結されるから、使い捨てマスク本体に孔を設けることによるマスクのフィルタ性能が低下する可能性がある。また、孔の部分から使い捨てマスク本体が破損する可能性もある。
【００１１】
本発明は、上記問題を解決すべく成されたもので、マスク本体と紐とが着脱可能とされたマスクにおいて、マスク本体に開口部を設ける必要がないためにマスク本体に孔を設けることによるマスクのフィルタ性能の低下やマスク本体の強度の低下を防止できるマスクを提供することを目的とする。
【課題を解決するための手段】
【００１２】
請求項１に記載の発明は、マスク本体と、着用者の両耳または頭部に掛けることによって前記マスク本体を装着者の顔面の所定の位置に保持する２本の紐と、を含み、前記マスク本体の両側には、袋状とされ、前記マスク本体の中央部に向かって開口するとともに、マスク本体両側の折り返し部によって形成されている袋状部が少なくとも２箇所ずつ形成され、前記紐の両端にはフック部材が固定され、このフック部材におけるフックを前記マスク本体の袋状部に挿入することによって前記紐が前記マスク本体に装着されるマスクに関する。
【００１３】
前記マスクにおいては、マスク本体の四隅部に設けられた袋状部に紐のフック部材を挿入することによって紐がマスク本体に装着される。そして、フック部材を袋状部から抜き出すことにより、紐はマスク本体から脱着される。
【００１４】
したがって、前記マスクにおいては、フック部材を挿入するための孔をマスク本体に設ける必要がないから、マスク本体に孔を設けることによる性能や強度の低下が防止される。
【００１６】
前記マスクにおいては、前記袋状部は、マスク本体両側の折り返し部によって形成されているから、袋状部を形成するための別部品が不要である。
【００１７】
請求項２に記載の発明は、前記フック部材が、マスク本体の袋状部に挿入されるフック本体と、開閉部と、前記開閉部を前記フック本体に対して開閉可能に連結するヒンジ部と、を有し、前記開閉部は、紐の端部を前記開閉部と前記フック本体との間に挟んだ状態で前記開閉部を前記フック部材に対して閉じることにより、前記紐が前記開閉部とフック本体との間に挟持されるように形成されている請求項１に記載のマスクに関する。
【００１８】
前記マスクにおいては、前記開閉部を、前記フック部材に対して一度閉じたら開かなくなるような嵌め殺しとすることができる。そして、前記開閉部を嵌め殺しとすることにより、使用中に前記フック部材から前記開閉部が外れ、紐がフック部材から脱落することが防止できる。
【００１９】
請求項３に記載の発明は、前記フック部材の一端側には、マスク本体の袋状部に挿入されるフックが、他端側には紐が装着される紐装着部が形成され、前記紐装着部には紐を挿通するためのスリットが形成されているとともに、前記紐の両方の末端部には前記スリットの幅よりも大きな外径を有する係止部が形成され、前記紐は、末端部において前記スリットに挿通された状態で前記紐装着部に固定される請求項１に記載のマスクに関する。
【００２０】
前記マスクにおいては、紐の両方の末端に係止部が形成されているから、紐の末端をスリットに挿通すると、係止部において前記スリットに係止される。紐を脱着するときは、前記スリットから紐の係止部の部分を外せばよい。したがって、フック部材への紐の装着、脱着が極めて容易である。なお、前記スリットの途中に互いに向かうように突起を設けることにより、紐が不用意にスリットから外れることが防止できる。
【００２１】
請求項４に記載の発明は、前記フック部材が、マスク本体の袋状部に挿入されるフック本体と、前記フック本体に着脱可能に設けられた着脱部と、を有し、前記着脱部は、紐の端部を前記着脱部と前記フック本体との間に挟んだ状態で前記フック部材に前記着脱部を装着することにより、前記紐が前記着脱部と前記フック本体との間に挟持されるように形成されている請求項１に記載のマスクに関する。
【００２２】
前記マスクにおいては、紐の端部を前記着脱部と前記フック本体との間に挟んだ状態で前記着脱部を前記フック部材に装着することにより、前記紐が前記着脱部とフック本体との間に挟持されてフック部材に装着される。前記紐が装着されたフック部材において前記着脱部を前記フック本体から脱着すれば、紐はフック部材から脱着される。
【００２３】
したがって、前記マスクは、紐の末端に何らの加工を施さなくてもフック部材を紐に各実に装着できるという特長を有する。
【００２４】
請求項５に記載の発明は、前記フック部材が、マスク本体の袋状部に挿入されるフック本体を有し、前記フック本体は全体としてフック状に形成されているとともに、その内側の面には、前記マスク本体における袋状部から前記フック部材が脱落するのを防止するための歯状突起が設けられている請求項１〜４の何れか１項に記載のマスクに関する。
【００２５】
前記マスクにおいては、フックを袋状部に挿入すると、フックの内側の面に設けられた歯状突起が袋状部の内面および外面に引っ掛かり、袋状部からフックを抜き去る方向の力に対する抵抗となる。したがって、フックに歯状突起を設けない場合と比較して袋状部からフックが抜け難くなるから、使用中にフックが袋状部から抜けてマスク本体から紐が脱着することが効果的に抑止される。
【００２６】
請求項６に記載の発明は、前記紐は長さが調節可能とされている請求項１〜５の何れか１項のマスクに関する。
【００２７】
前記マスクにおいては、紐の長さが調節可能とされているから、着用者の顔や頭蓋の大きさに応じて紐の長さを調節することにより、顔や頭蓋の大きな着用者や小さな着用者の何れも前記マスクを快適に装着できる。
【発明の効果】
【００２８】
以上説明したように本発明によれば、マスク本体と紐とが着脱可能とされたマスクにおいて、マスク本体に開口部を設ける必要がないためにマスク本体に孔を設けることによるフィルタ性能の低下や強度の低下を防止できるマスクが提供される。
【図面の簡単な説明】
【００２９】
【図１】図１は、実施形態１に係るマスクの構成を示す斜視図である。
【図２】図２は、実施形態２に係るマスクの構成を示す斜視図である。
【図３】図３は、実施形態１および２に係るマスクにおいて使用されるフック部材の一例について構成を示す斜視図である。
【図４】図４は、実施形態１および２に係るマスクにおいて使用されるフック部材の一例について構成を示す斜視図である。
【図５】図５は、実施形態１および２に係るマスクにおいて使用されるフック部材の一例について構成を示す斜視図である。
【図６】図６は、実施形態１および２に係るマスクにおいて使用されるフック部材の一例について構成を示す斜視図である。
【図７】図７は、実施形態１および２に係るマスクにおいて使用されるフック部材の一例について構成を示す斜視図である。
【図８】図８は、実施形態１および２に係るマスクにおいて使用されるフック部材の一例について構成を示す斜視図である。
【図９】図９は、実施形態１および２に係るマスクにおいて使用されるフック部材の一例について構成を示す斜視図である。
【発明を実施するための形態】
【００３０】
１．実施形態１
以下、本発明のマスクの一例について図面を用いて説明する。図１（Ａ）に示すように、実施形態１のマスク１００は、着用者の口と鼻とを覆うマスク本体１と、マスク本体１の四隅部に装着されるとともに、着用者の両耳に掛けることによって前記マスク本体を装着者の顔面の所定の位置に保持する２本の紐２と、を備える。
【００３１】
紐２の両端には、フック部材３が固定されている。一方、図１（Ｂ）に示すように、マスク本体１の短辺側の両側縁部は中央部に向かって折り返されて折返し部１Ａとされている。折返し部１Ａには、図１（Ｂ）において点線で示すように縫製部１Ｂが形成され、これによって折返し部１Ａがマスク本体１に密着するとともに、折返し部１Ａとマスク本体１との間に袋状部４が形成される。なお、縫製部１Ｂを形成する代わりにバインダテープによって折返し部１Ａをマスク本体１に密着させてもよい。
【００３２】
折返し部１Ａは、図１（Ａ）に示すように、マスク本体１の短辺側の両側縁部を、マスク１００の着用時に着用者側を向く面に向かって押し返して形成してもよく、また、マスク１００の着用時に外側を向く面に向かって押し返して形成してもよい。
【００３３】
紐２は、図１（Ａ）に示すように、両端のフック部材３がマスク本体１の上端側および下端側の袋状部４に夫々挿入されることにより、マスク本体１に固定される。
【００３４】
紐２は、弾性のある素材で形成することができ、通常の紐状の形態のほか、テープ状やチューブ状の形態も可能である。具体的には
・ポリウレタン繊維とポリアミド繊維とポリエステル繊維とをリリアン編みしたチューブ状の紐、
・ポリウレタン繊維とポリエステル繊維とをリリアン編みしたチューブ状の紐、
・ポリウレタンの芯にポリアミド糸とポリエステル糸、またはポリエステル糸を巻いた紐、
・ポリウレタン繊維とポリアミド繊維とを平編みにしたベルト状の紐、
・弾性のある芯を数本並列に並べて糸で編んだ紐（所謂コールゴムと称されるもの）、
・ポリウレタンゴムをテープ状または繊維状に形成した紐
などが可能である。
なお、これらの紐において、ポリウレタンの部分を合成ゴムや天然ゴムに置き換えたものであってもよい。
【００３５】
また、紐２は、図４及び図５に示すように帯状乃至ベルト状とされていてもよい。
【００３６】
更に、紐２は、長さが調節できるように形成されていれば、着用者が顔や頭蓋の大きさに応じて紐２の長さを調節することにより、顔や頭蓋の大きな着用者や小さな着用者の何れもマスク１００を快適に装着できるから好ましい。
【００３７】
フック部材３は、例えば合成樹脂から形成され、図３に示すように略Ｓ字状の断面を有し、袋状部４に挿入されるフック３Ａが一端側に、紐２が装着される紐装着部３Ｂが他端側に形成された形態を有している。紐２の末端にはループ２Ａが形成されている。紐２は、ループ２Ａを紐装着部３Ｂに通すことにより、フック部材３に装着される。フック３Ａの内側の面には、袋状部４から脱着する方向の抵抗が挿入する方向の抵抗よりも大きくなるように、歯が矢印ａで示すフック３Ａの挿入方向とは反対の方向、即ちフック３Ａの脱着方向を向くように歯状突起３Ｃが設けられている。同様に、紐装着部３Ｂの内側の面にも歯が紐の脱着方向を向くように歯状突起３Ｃが設けられている。
【００３８】
実施形態１のマスク１００に使用されるフック部材３の別の例について以下に説明する。図４および図５に示す例は、フック部材３が、マスク本体１の袋状部４に挿入されるフック３Ａが一端側に形成されたフック本体３０と、フック本体３０に対して開閉可能に形成された開閉部３１と、開閉部３１をフック本体３０に開閉可能に連結するヒンジ３２と、を備える。ヒンジ３２は、図４（Ａ）に示すように開閉部３１の側縁に形成してもよく、図５（Ａ）に示すように開閉部３１の紐２を装着する側の縁部に形成してもよい。開閉部３１におけるフック本体３０に対して閉じたときにフック３Ａに相対する側の側縁にはラッチ３３が形成され、フック本体３０のフック３Ａに隣接する側の側縁には、開閉部３１をフック本体３０に対して閉じたときにラッチ３３が挿通される開口部であるラッチ孔３４が形成されている。なお、図５に示すフック部材３においては、図５（Ｂ）に示すように帯状乃至ベルト状の紐２を挿通するための開口部３５がヒンジ３２に形成されている。
【００３９】
図４に示すフック部材３においては、図４（Ａ）および図４（Ｃ）に示すように、フック本体３０および開閉部３１の内側の面に、略三角形状の断面を有する歯状突起３０Ａが２個ずつ形成されている。同様に、図５に示すフック部材３においても、図５（Ａ）および図５（Ｄ）に示すように、フック本体３０および開閉部３１の内側の面に、略三角形状の断面を有する歯状突起３１Ａが２個ずつ形成されている。何れのフック部材３においても、歯状突起３０Ａと歯状突起３１Ａとは、図４（Ｃ）および図５（Ｄ）に示すように、フック本体３０と開閉部３１とを閉じたときに互いに噛合するように形成されている。
【００４０】
図４および図５に示す例においては、図４（Ａ）及び図５（Ａ）に示すように開閉部３１を開いた状態で、紐２の末端をフック本体３０と開閉部３１との間に挟み、次いで、図４（Ｂ）および図５（Ｃ）で示すように開閉部３１を閉じる。これにより、ラッチ３３がラッチ孔３４に挿通されることで開閉部３１がフック本体３０に対して固定されるとともに、図４（Ｃ）および図５（Ｄ）に示すように、紐２の末端がフック本体３０に形成された歯状突起３０Ａと開閉部３１に形成された歯状突起３１Ａとの間に挟持される。これにより、紐２を強く引張ったときに紐２がフック部材３から抜けることが防止される。
【００４１】
実施形態１のマスク１００に使用されるフック部材３の更に別の例について以下に説明する。図６に示す例においては、フック部材３は、フック３Ａが一端に形成されたフック本体３０と、フック本体３０に対して着脱可能に形成された着脱部としての着脱蓋３６と、を備える。
【００４２】
フック本体３０における着脱蓋３６が着脱される川の面には略三角形状の断面を有する歯状突起３０Ａが、矢印ａで示すフック３Ａの袋状部４への挿入方向に対して直交する方向に２個形成されている。
【００４３】
同様に、着脱蓋３６のフック本体３０に装着される側の面には、歯状突起３０Ａに対応する形状の凹陥部３６Ａが形成されている。
【００４４】
なお、図６に示す例においては、紐２の先端には図３と同様のループ２Ａが形成されている。
【００４５】
図６に示すフック部材３においては、紐２の先端のループ２Ａをフック本体３０の２つの歯状突起３０Ａの間に位置させた状態で、着脱蓋３６をフック本体３０に装着する。これにより、紐２は、ループ２Ａの部分において着脱蓋３３とフック本体３０との間に挟持される。
【００４６】
実施形態１のマスク１００に使用されるフック部材３の更に別の例について以下に説明する。図７に示すフック部材３においては、図３に示す例と同様に、マスク本体１の袋状部４に挿入されるフック３Ａが一端に、紐２が装着される紐装着部３Ｂが他端に形成されている。
【００４７】
しかし、図７に示すフック部材３においては、図３に示す例とは異なり、紐装着部３Ｂには、紐２を挿通するためのスリット３Ｄが、フック３Ａの袋状部４への挿入方向に沿って設けられている。スリット３Ｄの中央部には、一対の突起３Ｅが互いに向かい合うように形成されている。一方、紐２の先端には、スリット３Ｄの幅よりも大きな外径を有する係止部２Ｂが形成されている。図７に示す例においては、紐２の末端に結び目を形成して係止部２Ｂとしているが、紐２の末端にビーズ状の部材を固定してこれを係止部２Ｂとしてもよい。
【００４８】
図７に示すフック部材３においては、紐２の係止部２Ｂが形成された部分が、スリット３Ｄの先端部に挿入される。この状態で紐２をフック部材３の挿入方向ａに沿って引くことにより、紐２は、実線で示すようにスリット３Ｄの奥深くに挿入され、これにより、紐２がフック部材３に装着される。スリット３Ｄには突起３Ｅが形成されているから、フック部材３に装着された紐２がスリット３Ｄから外れることが防止される。
【００４９】
図８に示すフック部材３は、フック３Ａをマスク本体１の袋状部４に挿入したときに袋状部４の外側に位置する側の端部に、紐２を装着するスリット３Ｄが形成された形態を有する。また、スリット３Ｄの中央部には、図７に示すフック部材３と同様に一対の突起３Ｅが互いに向かい合うように形成されている。
【００５０】
更に、スリット３Ｄの挿入方向ａに対して上流側の端部には、紐２の係止部２Ｂが挿入できるように拡大部３Ｆが形成されている。
【００５１】
図８に示すフック部材３に紐２を装着するときは、先ず、紐２の係止部２Ｂの部分を拡大部３Ｅに挿入する。次いで、スリット３Ｄの挿入方向ａに沿って紐２を引くことにより、紐２はフック部材３に装着される。
【００５２】
図９に示すフック部材３においては、一端にフック３Ａが形成され、他端に紐装着部３Ｂが形成されている。紐装着部３Ｂには、紐２を通すための孔３Ｇが穿設されている。紐２を孔３Ｆに挿通し、その後、紐２の孔３Ｆに挿通された部分と挿通されていない部分とでループ２Ａを形成することにより、紐２はフック部材３に装着される。
【００５３】
マスク１００は、医療用、歯科用、および食品工業用やクリーンルーム用などの産業用のほか、一般用としても使用される。
【００５４】
マスク１００を長時間使用すると、マスク本体１が、口腔内の菌や作業環境により発生する飛散物によって汚染されるから、紐２の両端のフック部材３をマスク本体１の袋状部４から抜き取ってマスク本体１から紐２を取り外し、古いマスク本体１のみを廃棄する。
【００５５】
次いで、紐２のフック部材３を新たなマスク本体１の袋状部４に挿入して紐２を前記新たなマスク本体１に装着する。
【００５６】
２．実施形態２
以下、本発明のマスクの別の例について図面を用いて説明する。図２に示すように、実施形態２のマスク１０２は、着用者の口と鼻とを覆うマスク本体１と、マスク本体１の四隅部に装着されるとともに、着用者の頭部に掛けることによって前記マスク本体を装着者の顔面の所定の位置に保持する２本の紐２と、を備える。
【００５７】
実施形態１のマスクとは異なり、２本の紐２のうちの一方は、フック部材３の一方がマスク本体１の一方の折返し部１Ａにおける上側の袋状部４に挿入され、フック部材３の他方がマスク本体１の他方の折返し部１Ａにおける上側の袋状部４に挿入されている。そして、２本の紐２の他方は、フック部材３の一方がマスク本体１の一方の折返し部１Ａにおける下側の袋状部４に挿入され、フック部材３の他方がマスク本体１の他方の折返し部１Ａにおける下側の袋状部４に挿入されている。
【００５８】
したがって、図２に示すように、紐２は、マスク本体１の短辺側の一対の側縁の上端部と下端部とにヘアバンド状に装着される。
【００５９】
これらの点を除いて、マスク１０２は、実施形態１のマスクと同様の構成を有する。したがって、マスク本体１、紐２、およびフック部材３の構成は、実施形態１のところで述べたとおりである。
【００６０】
なお、図２に示す例においては、紐２は、実線で示すように、着用時において着用者の後頭部で交差しないような配置としてもよく、二点鎖線で示すように、着用時において着用者の後頭部で交差するようにマスク本体１に取り付けられていてもよい。
【００６１】
実施形態２のマスク１０２は、紐２が着用者の耳ではなく、頭部に掛けられるから、長時間の着用においても耳の後ろ側が痛くなることがない上、耳を覆うフード等を装着して作業する環境でも装着できるという特長を有する。
【符号の説明】
【００６２】
１      マスク本体
１Ａ    折返し部
１Ｂ    縫製部
２      紐
２Ａ    ループ
２Ｂ    係止部
３      フック部材
３Ａ    フック
３Ｂ    紐装着部
３Ｃ    歯状突起
３Ｄ    スリット
３Ｅ    拡大部
３Ｆ    孔
４      袋状部
３０    フック本体
３０Ａ  着脱蓋装着部
３０Ｂ  突起
３１    開閉部
３２    ヒンジ
３３    着脱蓋
３３Ａ  凹陥部
【図１】
0005615119.tif 000002
【図２】
0005615119.tif 000003
【図３】
0005615119.tif 000004
【図４】
0005615119.tif 000005
【図５】
0005615119.tif 000006
【図６】
0005615119.tif 000007
【図７】
0005615119.tif 000008
【図８】
0005615119.tif 000009
【図９】
0005615119.tif 000010